(57)【要約】  連動する安全拘束機構とこのような機構を組み込んだ安全拘束装置が開示される。安全拘束機構の実施形態は、バックル舌状部を所定の位置に受容し固定するようになっている第一の固定する機構と、アンカー舌状部を所定の位置に受容し固定するようになっている第二の固定する機構とを含む。連動する安全拘束機構は、アンカー舌状部の挿入時にバックル舌状部を自動的に解放するように形成され、さらにバックル舌状部の挿入時にアンカー舌状部を自動的に解放するように形成される。
2009500067.tif 000002
【特許請求の範囲】
【請求項１】
連動する安全拘束機構であって、
バックル舌状部を所定の位置に受容し固定するようになっている第一の固定する機構と、
アンカー舌状部を所定の位置に受容し固定するようになっている第二の固定する機構と、
を具備する、連動する安全拘束機構において、
前記連動する安全拘束機構が、前記アンカー舌状部の挿入時に前記バックル舌状部を自動的に開放するように形成され、前記バックル舌状部の挿入時に前記アンカー舌状部を自動的に開放するように形成される、連動する安全拘束機構。
【請求項２】
前記連動する安全拘束機構が、前記アンカー舌状部の挿入時に前記バックル舌状部を自動的に放出するように形成され、前記バックル舌状部の挿入時に前記アンカー舌状部を自動的に放出するように形成される、請求項１に記載の機構。
【請求項３】
ボタン構造体をさらに包含し、前記ボタン構造体は、前記連動する安全機構の内部で移動可能であり、前記ボタン構造体は、バックル舌状部が前記連動する安全機構に挿入される時に移動するように形成される、請求項１に記載の機構。
【請求項４】
前記ボタン構造体は、アンカー舌状部が前記連動する安全機構に挿入される時に移動するように形成される、請求項３に記載の機構。
【請求項５】
前記ボタン構造体は、前記アンカー舌状部が挿入される時に移動する方向と、前記バックル舌状部が挿入される時に移動する方向とが同一であるように形成される、請求項４に記載の機構。
【請求項６】
前記ボタン構造体が、前記バックル舌状部の挿入時に前記ボタン構造体の移動を容易にするようになっている傾斜面を含む、請求項３に記載の機構。
【請求項７】
ラッチをさらに包含し、前記ボタン構造体が、前記ラッチを受容するために形成され配置される開口部を含む、請求項３に記載の機構。
【請求項８】
前記ボタン構造体が、前記連動する安全拘束機構に前記バックル舌状部を固定するために形成されるホックを含む、請求項３に記載の機構。
【請求項９】
前記アンカー舌状部の挿入時に、前記バックル舌状部の放出を容易にするために前記連動する安全拘束機構に配置されるばねをさらに包含する、請求項１に記載の機構。
【請求項１０】
前記ばねがまた、前記バックル舌状部の挿入時に前記アンカー舌状部の放出を容易にする、請求項９に記載の機構。
【請求項１１】
安全拘束装置であって、
拘束ベルトと、
前記拘束ベルトと摺動可能に連結されるバックル舌状部と、
自動車に連結されるようになっている固定アンカー舌状部と、
自動車に連結されるようになっていて、前記バックル舌状部を受容し所定の位置に前記バックル舌状部を固定するようになっているバックルと、
前記バックル舌状部を所定の位置に受容し固定するようになっていて、前記アンカー舌状部を所定の位置に受容し固定するようになっている連動するバックルと、
を具備する安全拘束装置において、
前記連動するバックルが、前記アンカー舌状部の挿入時に前記バックル舌状部を自動的に開放するように形成され、前記バックル舌状部の挿入時に前記アンカー舌状部を自動的に開放するように形成される、安全拘束装置。
【請求項１２】
前記連動するバックルが、前記アンカー舌状部の挿入時に前記バックル舌状部を自動的に放出するように形成され、前記バックル舌状部の挿入時に前記アンカー舌状部を自動的に放出するように形成される、請求項１１に記載の安全拘束装置。
【請求項１３】
前記拘束ベルトが、前記連動するバックルに恒久的に取付けられる、請求項１１に記載の安全拘束装置。
【請求項１４】
前記連動するバックルが三つのスロットを含み、その各々が舌状部を所定の位置に受容し固定するようになっている、請求項１１に記載の安全拘束装置。
【請求項１５】
前記拘束ベルトの一端部で前記拘束ベルトに連結されるベルト舌状部をさらに包含し、三つのスロットの一つが、前記ベルト舌状部を所定の位置に受容し固定するようになっている、請求項１４に記載の安全拘束装置。
【請求項１６】
前記ベルト舌状部を受容するようになっている前記スロットが、前記バックル舌状部を受容するようになっているスロットに隣接して配置される、請求項１５に記載の安全拘束装置。
【請求項１７】
前記連動するバックルが、ボタン構造体を包含し、前記ボタン構造体は、前記連動するバックルの内部で移動可能であり、前記ボタン構造体は、前記バックル舌状部が前記連動するバックルに挿入される時に移動するように形成される、請求項１１に記載の安全拘束装置。
【請求項１８】
前記ボタン構造体は、前記アンカー舌状部が前記連動するバックルに挿入される時に移動するように形成される、請求項１７に記載の安全拘束装置。
【請求項１９】
前記ボタン構造体は、前記アンカー舌状部が挿入される時に移動する方向と、前記バックル舌状部が挿入される時に移動する方向とが同一であるように形成される、請求項１８に記載の安全拘束装置。
【請求項２０】
前記ボタン構造体が、前記バックル舌状部の挿入時に前記ボタン構造体の移動を容易にするようになっている傾斜面を含む、請求項１７に記載の安全拘束装置。
【請求項２１】
前記連動するバックルが、さらにラッチを包含し、前記ボタン構造体が、前記ラッチを受容するために形成され配置される開口部を含む、請求項１７に記載の安全拘束装置。
【請求項２２】
前記ボタン構造体が、前記連動するバックルに前記バックル舌状部を固定するために形成されるホック部分を含む、請求項１７に記載の安全拘束装置。
【請求項２３】
前記バックル舌状部が、前記連動するバックルに前記バックル舌状部を固定するための前記ホック部分と隣接するように形成される切抜き部分を含む、請求項２２に記載の安全拘束装置。
【請求項２４】
前記連動するバックルが、前記アンカー舌状部の挿入時に前記バックル舌状部の放出を容易にするために前記連動するバックルに配置されるばねをさらに包含する、請求項１１に記載の安全拘束装置。
【請求項２５】
前記ばねがまた、前記バックル舌状部の挿入時に前記アンカー舌状部の放出を容易にする、請求項２４に記載の安全拘束装置。
【請求項２６】
前記拘束ベルトを受容するようになっているシートベルト収納器をさらに包含する、請求項１１に記載の安全拘束装置。
【請求項２７】
安全拘束装置であって、
拘束ベルトと、
前記拘束ベルトと摺動可能に連結されるバックル舌状部と、
自動車に連結されるようになっている固定アンカー舌状部と、
自動車に連結されるようになっていて、前記バックル舌状部を受容し所定の位置に前記バックル舌状部を固定するようになっているバックルと、
前記バックル舌状部を所定の位置に受容し固定するようになっていて、前記アンカー舌状部を所定の位置に受容し固定するようになっている連動するバックルと、
を具備する安全拘束装置において、
前記連動するバックルが、前記アンカー舌状部の挿入時に前記バックル舌状部を自動的に放出するように形成され、前記バックル舌状部の挿入時に前記アンカー舌状部を自動的に放出するように形成され、前記連動するバックルが、前記連動するバックルの内部で移動可能なボタン構造体を包含し、前記ボタン構造体は、前記バックル舌状部又は前記アンカー舌状部のいずれかが、前記連動するバックルに挿入される時はいつでも、同一方向に移動するように形成される、安全拘束装置。
【発明の詳細な説明】
【技術分野】
【０００１】
本発明は、概ね自動車用の保護装置の分野に関する。より詳細には、本発明は、シートベルト及びその他の安全拘束装置に関する。
【背景技術】
【０００２】
【特許文献１】米国特許第６１１６６９６号明細書
【発明の開示】
【課題を解決するための手段】
【０００３】
連動する安全拘束機構の実施形態と、連動する安全拘束機構を組み込む安全拘束装置の実施形態とが、以下に述べられる。連動する安全拘束機構の実施形態は、バックル舌状部を所定の位置に受容し固定するようになっている第一の固定する機構と、アンカー舌状部を所定の位置に受容し固定するようになっている第二の固定する機構とを含む。連動する安全拘束機構を、アンカー舌状部の挿入時にバックル舌状部を自動的に開放するように形成してもよく、同様にバックル舌状部の挿入時にアンカー舌状部を自動的に開放するように形成してもよい。
【０００４】
連動する安全拘束機構を組み込む安全拘束装置は、拘束ベルトと摺動可能に連結される、例えば調節可能な舌状部のようなバックル舌状部を含んでもよい。バックル舌状部を受容し所定の位置にバックル舌状部を固定するようになっているバックルと共に、固定アンカー舌状部を自動車と連結してもよい。拘束ベルトを受容するようになっているシートベルト収納器をまた使用してもよい。
【０００５】
操作中に乗員は、挿入されたバックル舌状部を有する（連動するバックルとして添付図面に示される）連動する安全拘束機構を、固定アンカー舌状部に向かって下に引張るであろう。それから、アンカー舌状部を連動するバックルのスロットに挿入することによって、アンカー舌状部を連動するバックルに取付けるであろう。アンカー舌状部を連動するバックルに挿入することは、自動的にバックル舌状部を放出する。それから乗員は、彼の体を横切ってバックル舌状部を引張り、それを一般的に車の座席の基部に又は近傍に配置される固定バックルに挿入するであろう。それから、拘束ベルトのひざベルト部分が、バックルと連動するバックルとの間に作り出され、一方、肩ベルト部分が、収納器と固定バックルとの間に作り出される。
【０００６】
それから、固定バックルからバックル舌状部を解放し、連動するバックルにバックル舌状部を挿入することによって、装置を取外し収納するであろう。バックル舌状部を連動するバックルに挿入することは、自動的にアンカー舌状部を連動するバックルから解放する。それから、シートベルト収納器に拘束ベルトを引込めることによって、バックル舌状部と連動するバックルとを引込めることが出来る。先行の装置は、タイトルが「連動する着脱可能なシートベルト装置」の特許文献１に、より詳細に述べられており、その結果、参照によって完全に組み込まれる。
【０００７】
図面が本発明の単なる典型的な実施形態を示し、その結果として、本発明の範囲を限定していると考えられるべきでないことを理解して、本発明は、添付図面の使用を介してさらなる特異性と詳細さによって記述及び説明されるだろう。
【発明を実施するための最良の形態】
【０００８】
前述の装置とシステムの可能な実施形態が、添付図面を参照してより詳細に、ここに述べられるだろう。図１Ａと１Ｂは、連動する機構の実施形態を１００で示す。これらの図はまた、アンカー拘束ベルト１０２、アンカー舌状部１１０、格納式の拘束ベルト１０４、格納式の拘束ベルトアンカー１０６、及びバックル舌状部１２０を示す。アンカー拘束ベルト１０２を一端部（示されていない）で車両の及び／又は車の座席に取付けてもよく、アンカー拘束ベルト１０２は、それと連結されるアンカー舌状部１１０を反対側の端部に有する。
【０００９】
添付図面の格納式拘束ベルトのアンカー１０６は、連動するバックル１００の一端部に取付けられる固定されるループを包含する。格納式拘束ベルト１０４は、一端部で拘束ベルトのアンカー１０６に連結される。示された実施形態において、格納式拘束ベルト１０４は、アンカー１０６を通ってベルト１０４の端部に縫込まれ、別のループを形成するようにベルト１０４をそれ自体に取付けることによって連動するバックルに恒久的に取付けられる。
【００１０】
当然、当業者は様々な代替案が可能であることを認識するだろう。例えば、格納式拘束ベルトのアンカーは、アンカー舌状部１１０に類似するアンカー舌状部を代わりに包含してもよい。このような実施形態において、連動するバックル１００は二つよりもむしろ三つのスロットを含んでもよい。任意に、格納式拘束ベルトのアンカー（舌状部）を受容するようになっている第三のスロットを、格納式拘束ベルトを連動するバックルに恒久的に取付けるようにしてもよい。代替として、格納式拘束ベルトをボタン解放システム又は同様のものを介して連動するバックルに選択的に取付けるように、第三のスロットを適合してもよい。格納式拘束ベルトのアンカーを連動するバックルの側面に、又は連動するバックルの所望する他の場所に、代替的に配置してもよいことがまた理解されるだろう。バックル舌状部１２０は、格納式拘束ベルト１０４に対してバックル舌状部１２０を上下に動かすことが出来るように、格納式拘束ベルト１０４と摺動可能に連結される。
【００１１】
図１Ａにおいて装置は、連動するバックル１００のスロットに挿入されたアンカー舌状部１１０と共に示される。図１Ｂにおいてバックル舌状部１２０は、連動するバックル１００の反対側の端部のスロットに挿入されている。図１Ｂに示すようにアンカー舌状部１１０は、バックル舌状部１２０の挿入時に、自動的に放出又は解放される。同様に、アンカー舌状部１１０の挿入時に、バックル舌状部１２０は自動的に放出される。
【００１２】
図２Ａから２Ｃの各々は、連動する安全拘束機構１００の実施形態をより詳細に示す。図２Ａは、連動するバックル１００に挿入されているバックル舌状部１２０を示す。図５と図６で最もよく分かるガイド１３０は、バックル舌状部１２０の挿入を導き、容易にする。カバー１４０は、連動するバックル１００の内部構成要素を表すために部分的に切り欠いて示される。ある実施形態において、バックル舌状部１２０を導くためにカバー１４０の内部をまた使用してもよい。
【００１３】
ボタン構造体１６０は、バックル舌状部１２０の挿入が自動的にアンカー舌状部１１０を解放する、又はその逆の場合も同様であるような方法で、連動するバックル１００が機能することを可能にする主要構造体の一つである。示された実施形態において、バックル舌状部１２０の挿入は、自動的にアンカー舌状部１１０を放出し、又その逆の場合も同様である。しかしながら実施形態は、バックル舌状部１２０の挿入がアンカー舌状部１１０を放出するというよりむしろ単に解放することを意図しており、又その逆の場合も同様である。
【００１４】
ボタン構造体１６０は、傾斜面１６１、窓開口部１６２、及びホック部分１６３を含む。図６で最もよく分かる通り、ボタン構造体１６０はまた、ボタンカラー１６６を含み、それは、そこでボタンばね１６４を受容するようになっている半球形部分である。ボタンカラー１６６はまた、ボタン基部１０７に適合し、それは後掲において、より詳細に検討されるだろう。窓開口部１６２は、ボタンカラー１６６の両側面を貫通して延在する。ボタンばね１６４は、図２Ａから２Ｃの図面でみて、ボタンの方向にボタン構造体１６０を付勢する。従って、バックル舌状部１２０が（図２Ｂの矢印Ａで表される方向に）挿入された時に、バックル舌状部１２０は、ボタン構造体１６０の傾斜面１６１と接触し、それ故に、図２Ｂの矢印Ｂによって示される、(図２Ａから２Ｃの図面でみて)上方にボタン構造体１６０を移動する。
【００１５】
後により詳細に述べられるように、ラッチ１８０の部分は、ボタン構造体１６０と連動してラッチ１８０を操作することが出来るように、窓開口部１６２を貫通して延在する。バックル舌状部が連動するバックル１００に挿入されていない時には、（ボタンばね１６４と連動する）窓開口部１６２、ラッチ１８０、及びボタン構造体１６０の相互作用は、ラッチ１８０を窓開口部１６２の(図２Ａから２Ｃの図面でみて)上部に接して付勢して保持する。これはまた、ラッチ１８０がアンカー舌状部１１０のホック掛けされる部分１１８に接して圧力を維持することができ、それ故にアンカー舌状部１１０を連動するバックル１００の内部に固定して維持する。
【００１６】
図２Ｂの矢印Ｂによって示される動作を、窓開口部１６２のボタンの(図面でみて)底縁部がラッチ１８０に接触するまで継続してよい。ボタン構造体１６０のさらなる移動は、ラッチ１８０をアンカー舌状部１１０のホック掛けされる部分１１８との係合から解放し、それ故に、アンカーばね１１４とアンカー放出機１１６（図３Ａ、３Ｂ及び６を参照）とが、（図２Ｂの矢印Ｃによって示される）連動するバックル１００からアンカー舌状部１１０を押し出すことを可能にする。調節可能な舌状部又はその他のバックル舌状部の挿入時に、アンカー舌状部が自動的に、放出ではなくて解放される実施形態において、アンカーばねを取外す又はより弱いばねと交換してもよいことが留意されるだろう。
【００１７】
図２Ｂで分かる通り、ボタン構造体１６０は十分に押し上げられ、アンカー舌状部１１は連動するバックル１００から放出された。一度、アンカー舌状部１１０が放出されると、バックル舌状部のばね１２４は、バックル舌状部の放出機１２６を介して、バックル舌状部１２０を後方に、又はボタン構造体１６０から離れる方向に押しやる。最終的にバックル舌状部１２０は、図２Ｃに示すように舌状部の切抜き部分１２２をボタンのホック部分１６３と係合することによって所定の位置に固定する。この状態で舌状部のばね１２４は、僅かに圧縮されており、その結果、舌状部の切抜き部分１２２とボタンのホック部分１６３との間の接触を維持するための力をバックル舌状部１２０にもたらし、それ故に、連動するバックル１００の中にさらに摺動しないようバックル舌状部１２０を保持する。
【００１８】
バックル舌状部１２０が連動するバックル１００に配置され固定された後のアンカー舌状部１１０の挿入は、ラッチ１８０を（図２Ａから２Ｃの図面でみて上方に）回転させる。次にラッチ１８０は窓開口部１６２の上縁部に接触し、それ故に、ラッチ１８０に掛けられた力をボタン構造体１６０に伝達し、それ故に、同一方向にボタン構造体１６０を動かす。一度、ラッチ１８０が、アンカー舌状部１１０を捕獲することが出来るように十分に回転すると、ボタン構造体１６０は、舌状部の切抜き部分１２２をボタンのホック部分１６３から係合を外すために、上方に及びバックル舌状部１２０から離れる方向に移動する。一度、切抜き部分１２２がホック部分１６３から解放されると、バックル舌状部のばね１２４は、連動するバックル１００からバックル舌状部１２０を押し出す。
【００１９】
ここで図３Ａと３Ｂを参照して、アンカー舌状部用の固定する構成要素が示され、より詳細に検討されるだろう。アンカー放出機１１６は、フレーム１０５のＵ字型部分（ボタン基部１０７、図３Ａから３Ｂには示されていない）内で摺動する。アンカーばね１１４は、アンカー放出機１１６の突出部（アンカーばねポスト１１５）に一端部で連結される。アンカーばね１１４をその反対側でボタンばねホルダー１６５の別の突出物（ばねポスト）に取付けてもよい。アンカーばね１１４は縮み、アンカー放出機１１６が内に（ボタンばねホルダー１６５に向かって）及び外に（ボタンばねホルダー１６５から離れる方向に）それぞれ摺動する時に延伸する。
【００２０】
ボタンばねホルダー１６５は、ボタン基部１０７に隣接するフレーム１０５に固定される。図３Ａに示すように、アンカー舌状部１１０が機構に挿入される場合に、アンカー舌状部１１０は、アンカー放出機１１６と接触し、それを押し込み、それからアンカーばね１１４を圧縮する。それから図３Ｂに示すように、ラッチ１８０は、連動するバックル１００内の所定の位置にアンカー舌状部１１０を固定する。ラッチ１８０が、（上述のようなボタン構造体１６０に伝達されているバックル舌状部１２０を挿入する力によって、）定位置から外れて回転させられる場合に、圧縮したばね力は、アンカー放出機１１６を、次にアンカー舌状部１１０を、連動する機構から移動する。図３Ａに示すように、アンカー放出機１１６は、それがフレーム１０５と接触して、フレーム１０５を抜け出ることが防止される。
【００２１】
ここで図４Ａ、４Ｂ及び５を参照して、バックル舌状部用の固定する構成要素が示され、より詳細に検討されるだろう。図４Ｂに示すように掛け金された位置で、バックル舌状部のばね１２４は少し圧縮され、バックル舌状部のばね１２４は、切抜き部分１２２とボタンホック部分１６３との間の係合を維持することを容易にする。切抜き部分１２２が、ボタンホック部分１６３から解放される場合に、バックル舌状部１２０を連動するバックル１００から自由に放出することが出来る。それからバックル舌状部のばね１２４は、バックル舌状部の放出機１２６を押し出すことができ、次に機構からバックル舌状部１２０を押し出す。図５で最良に分かるように、バックル舌状部の放出機１２６は、バックル舌状部の放出機１２６の形状と一致するガイド１３０のＴ字型スロット１３６内に嵌め込まれ摺動する。バックル舌状部の放出機１２６は、バックル舌状部の放出機１２６が嵌め込まれるガイド１３０内のスロット１３６の部分に沿って形成される突起部１３２によって、ガイド１３０から外れることを防止される。
【００２２】
ここで図６を参照して、連動するバックル１００の構成要素の組立分解図が示され、本発明の実施形態のさらなる詳細が記述されている。連動するバックルのフレーム１０５は、格納式拘束ベルトのアンカー１０６で格納式拘束ベルト１０４に連結される。フレーム１０５はまた、ボタン基部１０７を含む。ボタン基部１０７はＵ字形状である。ボタン基部１０７は、そこに形成されるラッチ窓１０８を有し、ラッチ１８０を支持するようになっている。ボタン基部１０７は、Ｕ字形状の両側面に形成されるラッチ窓１０８を有する。しかしながら、幾つかの実施形態はボタン基部１０７の一側面にのみラッチ窓を含んでもよいことが理解されるだろう。その他の実施形態において、フレームがＵ字型部分を含まなくてもよく、その結果、単一のラッチ窓のみを備えてもよい。
【００２３】
タイバー構造体１８５は、連動するバックル１００の内部構造に強度を備えることを支援し、さらにフレーム１０５上のボタン基部１０７のＵ字形状を維持することを支援する。タイバー構造体１８５のタイバースペーサ１８６は、ボタン基部１０７のＵ字形状によって創出される開口部内に嵌め込まれる。それ故にタイバースペーサ１８６は、掛け金される位置にアンカー舌状部を導くために、適切な大きさの開口部を創出し維持する。
【００２４】
ラッチ１８０は、ラッチ窓１０８内に軸回転可能に配置される。ラッチ１８０の一方の端部を丸くしてもよく、ラッチ１８０が軸回転出来るように、ラッチ窓１０８内で適合するスロットに嵌め込んでもよい。ラッチ１８０の他方の端部は、軸回転する端部の幅を越えて延在する一つ又はそれ以上の突起部含んでもよく、さもなければ軸回転する端部よりも幅が広くてもよい。このように、突起部又は幅の広い部分は、ラッチ窓１０８から延伸する。これは、以下にさらに詳細に述べられるように、ラッチ１８０の回転がボタン構造体１６０の移動を引起すことを可能にする。
【００２５】
ボタン構造体１６０のボタンカラー１６６は、ボタン基部１０７に適合する。それから窓開口部１６２を、ラッチ窓１０８と一致するように又は少なくとも部分的に重なり合うように配置してもよい。その結果、ラッチ１８０の突起部又は幅の広い部分が、窓開口部１６２及びラッチ窓１０８から延伸する。これは、アンカー舌状部１１０の挿入による力がラッチ１８０を介してボタン構造体１６０に伝達することを可能にし、それによってバックル舌状部１２０を解放する。ボタンばね１６４は、ボタンホック部分１６３がバックル舌状部１２０を連動するバックル１００の内部に固定する位置に向かって、ボタン構造体１６０を付勢するために使用される。ボタンばね１６４は、ボタンばねホルダー１６５によって所定の位置に保持され、ボタンばねホルダーは、ボタン構造体１６０に隣接して配置される。ボタンばね１６４をボタンばねホルダー１６５に固定して取付けてもよく、又は代替として、ボタンばね１６４をボタンばねホルダー１６５の溝に嵌め込んでもよく、又はさもなければ、ボタンばね１６４をボタンばねホルダー１６５の溝と結合してもよい。図６に示す実施形態において、ボタンばね１６４は、ボタンばねポスト１６７にボタンばね１６４を嵌め込むことによって、ボタンばねホルダー１６５と連結される。
【００２６】
アンカー舌状部１１０は、ラッチ１８０を係合するアンカー舌状部のホック部分１１８によって連動するバックル１００内の所定の位置に固定される。従って、アンカー舌状部１１０の挿入は、アンカー舌状部のホック部分１１８がラッチ１８０の端部を通り過ぎるまで、ボタン構造体１６０の位置を移動し、通過した点で、ラッチ１８０はパチンと嵌まり、アンカー舌状部のホック部分１１８に固定される。ここで認識されるように、添付図に示される本発明の実施形態において、ボタン構造体は、一つの舌状部の挿入時に別の舌状部の放出を容易にするために、バックル舌状部又はアンカー舌状部のいずれかが連動するバックルに挿入される時は何時でも、同一方向に移動するように形成される。
【００２７】
さらなる詳述無しに、当業者は最大限に本発明を利用するために先の記述を使用することが出来ると考える。ここに開示された例示と実施形態は、単なる例証として、及び決して本発明の範囲を限定するものでないとして解釈されるべきである。本発明の基礎となる原理から乖離することなく、上述の実施形態の詳細に合わせて変形を作り上げることが可能なことは、当業者とって明白であろう。言い換えれば、上の記載で明確に開示された実施形態の様々な変更と改良は、添付の請求項の範囲内である。その結果、本発明の範囲は、添付の請求項によって画定される。
【図面の簡単な説明】
【００２８】
【図１Ａ】安全拘束装置の斜視図である。
【図１Ｂ】バックル舌状部が連動するバックルに挿入され、アンカー舌状部が連動するバックルから放出される場合の、図１Ａに示す安全拘束装置の斜視図である。
【図２Ａ】バックル舌状部の挿入とアンカー舌状部の関連した放出とを連続的に示す、連動するバックルの切り欠き図である。
【図２Ｂ】バックル舌状部の挿入とアンカー舌状部の関連した放出とを連続的に示す、連動するバックルの切り欠き図である。
【図２Ｃ】バックル舌状部の挿入とアンカー舌状部の関連した放出とを連続的に示す、連動するバックルの切り欠き図である。
【図３Ａ】より詳細に、アンカー舌状部のための固定する構成要素を示す切り欠き図である。
【図３Ｂ】より詳細に、アンカー舌状部のための固定する構成要素を示す切り欠き図である。
【図４Ａ】より詳細に、バックル舌状部のための固定する構成要素を示す切り欠き図である。
【図４Ｂ】より詳細に、バックル舌状部のための固定する構成要素を示す切り欠き図である。
【図５】連動するバックルの実施形態の内部構成要素の一部分を示す斜視図である。
【図６】連動するバックルの実施形態の内部構成要素の各々を示す組立分解図である。
【図１Ａ】
2009500067.tif 000003
【図１Ｂ】
2009500067.tif 000004
【図２Ａ】
2009500067.tif 000005
【図２Ｂ】
2009500067.tif 000006
【図２Ｃ】
2009500067.tif 000007
【図３Ａ】
2009500067.tif 000008
【図３Ｂ】
2009500067.tif 000009
【図４Ａ】
2009500067.tif 000010
【図４Ｂ】
2009500067.tif 000011
【図５】
2009500067.tif 000012
【図６】
2009500067.tif 000013
【国際調査報告】
2009500067.tif 000014